(57)【要約】【目的】  通常の使用によりカールコードにおけるカール成型部に生じる変形や絡まりを低減することができ、また、前記変形や絡まりが生じた場合であっても、これらを容易に直せて元の状態に戻すことができるカールコードにおけるカール成型部の変形や絡まりの低減構造を提供できるようにする。【解決手段】  カールコードの本体たるコード１のカール成型部２におけるカール内空２ａに、該コード１の動きに追従できて、且つ、コード１の動きに追従するにしたがい付勢力を蓄積できる例えばシリコーンゴムなどのフレキシブルロープ３を設ける。【選択図】  図１
2012198992.tif 000002
【特許請求の範囲】
【請求項１】
カール成型部を有するコードの少なくとも該カール成型部のカール内空に、該コードの動きに追従できるように所定の追従部材を設けて構成してなり、且つ、該追従部材は、前記コードの動きに追従するにしたがい付勢力を蓄積できるものであることを特徴とするカールコードのカール成型部に生じるカールの変形や絡まりの低減構造。
【請求項２】
前記追従部材が、柔軟且つ弾性を有する単伸縮線で構成されてなることを特徴とする請求項１に記載のカールコードのカール成型部に生じるカールの変形や絡まりの低減構造。
【請求項３】
前記追従部材が、柔軟且つ弾性を有する伸縮線を複数束ねて構成されてなることを特徴とする請求項１に記載のカールコードのカール成型部に生じるカールの変形や絡まりの低減構造。
【請求項４】
前記追従部材が、柔軟且つ弾性を有する伸縮チューブで構成されてなることを特徴とする請求項１に記載のカールコードのカール成型部に生じるカールの変形や絡まりの低減構造。
【請求項５】
前記追従部材が、柔軟且つ弾性を有する板状体で構成されてなることを特徴とする請求項１に記載のカールコードのカール成型部に生じるカールの変形や絡まりの低減構造。
【請求項６】
前記カール成型部が少なくとも初期位置の縮んでいる状態のとき、前記付勢力により追従部材が初期位置の安定した状態に近い状態に自己復帰してなることを特徴とする請求項１に記載のカールコードのカール成型部に生じるカールの変形や絡まりの低減構造。
【発明の詳細な説明】
【技術分野】
【０００１】
本発明は、家電製品等に用いられるカールコードのカール成型部に生じるカールの変形や絡まりの低減構造に関し、さらに、携帯物品と携帯者を接続して携帯物品の落下防止等に用いられる安全ロープや落下防止用ロープの名称で販売されているカールロープなどのカール成型部にも応用できる同カール成型部に生じるカールの変形や絡まりの低減構造に関する。
【背景技術】
【０００２】
従来、カールコードの多くは家電製品に用いられており、例えば固定電話機では、本体とハンドセットとの間に配しているコードに用いられている（例えば、特許文献１参照）。
【０００３】
しかしながら、日々使用される電話機は、図７中（ａ）に示したように、電話機本体７とハンドセット８との間に配したカールコード９の一部分が、図７中（ｂ）に示したように変形してしまう（変形した部位１０）ことが頻繁に発生していた。
【０００４】
さらに、ハンドセット８を電話機本体７に戻す際、同戻し方によってはカールコード９が捩れ、図８に示したように、同カール部分が絡まってしまう（絡まった部位１１）こともあり、特に、長年使用しているものではカール部分が伸びているので、カール間に空く隙間も大であってカール部分がより絡まり易くなっている。
【０００５】
そして、電話機を使用する者にとっては、カールコードに生じた図７や図８に示したようなカールの変形（変形した部位１０）や絡まり（絡まった部位１１）は非常に見苦しくまた使い難いものであることから、ときどきこれらを直して元の状態に戻していた。
【０００６】
また、カールの変形や絡まりを直して元の状態に戻す場合も、初期段階のものでは比較的容易に元の状態に戻すことができるのであるが、時には変形や絡まりが進行していることがあって、この場合は元の状態に戻すのに手間や時間が掛り非常に面倒なものであった。
【先行技術文献】
【特許文献】
【０００７】
【特許文献１】特開平１１−２５０７４０号公報
【発明の概要】
【発明が解決しようとする課題】
【０００８】
本発明の目的とするところは、通常の使用によりカールコードのカール成型部に生じるカールの変形や絡まりを低減させることができ、また、前記変形や絡まりが生じた場合であっても、これらを容易に直せて元の状態に戻すことができるカールコードのカール成型部に生じるカールの変形や絡まりの低減構造を提供できるようにすることにある。
【課題を解決するための手段】
【０００９】
上述した課題を解決するために、本発明に係るカールコードのカール成型部に生じるカールの変形や絡まりの低減構造の要旨とするところは、カール状すなわち螺旋の形状に形成した部分を有するコードの少なくともカール成型部のカール内空に、該コードの動きに追従できるように所定の追従部材を設けて構成し、且つ、該追従部材に、前記コードの動きに追従するにしたがい付勢力を蓄積できるものを用いたことを特徴とするものである。
【００１０】
本発明を更に詳しく説明すると、家電製品に用いられるカールコードは、所定の曲率で形成したカール部分の両端に、必要に応じてそれぞれ相当な長さの直線部を設けて構成されており、また該直線部の両自由端部に、所定の機器に接続するための例えばモジュラージャックやプラグ／プラグソケットなどの接続用部材が設けられている。
【００１１】
そして、カールコードの少なくともカール成型部のカール内空に設ける追従部材としては、該カールコードの伸縮や曲折などの動きに追従して動くことができるものであればよく、一般的には素材の性質によるもの（合成樹脂素材などの材質）が適しているが、伸縮や曲折などの動きができるように構成した構造物を用いてもよい。
【００１２】
また、前記追従部材を素材の性質によるものから形成する場合の具体例としては、天然ゴムや合成ゴム（エラストマー／シリコーンなど）素材からなる柔軟且つ弾性を有した単伸縮線、この単伸縮線を複数束ねて、例えば、適当な本数を並べて構成したものや適当な本数を撚り合わせて形成したもの（撚り線）等の所定の伸縮線、あるいは、柔軟且つ弾性を有した伸縮チューブによって構成してもよく、カールコードの応用形態に合わせて適宜に選定すればよい。
【００１３】
また、前記追従部材の長手方向断面形状においては、カール内空の断面空間形状に略合わせた円形にするのが普通であるが、これに限定するものではなく、追従部材の機能を確保できる範囲において他の断面形状にしてデザイン性を考慮した形状にしてもよい。
【００１４】
さらに、追従部材を柔軟且つ弾性を有する板状体を用いて構成してもよく、この板状体はカールコードの応用形態に合わせて単数あるいは複数用い、特に複数用いる場合は、カール内空の空間断面形状に対応するよう追従部材のカール内空配設方向に対する幅寸法を適当に変えたものを並設して用いて、追従部材の長手方向断面形状とカール内空の空間断面形状が略合うようにしてもよい。
【００１５】
そして、前記板状体は、一般的にはコスト的に有利な板状の単一部材を用いて板状体とするが、所定の形状の単一部材を複数並設して単一の板状体に形成したものを用いる場合もある。
【００１６】
他にも、追従部材を、柔軟且つ弾性を有した伸縮可能な織物部材、例えば、細目のネットなどによって構成してもよいが、カールコードの応用形態によってはネットの目に外部の部材が引っ掛からないようにしなければならない場合もある。
【００１７】
また、追従部材を伸縮や曲折などの動きができるように構成した構造物から形成する場合は、例えばコイルスプリングなどで構成してもよいが、カールコードの応用形態によってはコイルの目に外部の部材が引っ掛からないようにしなければならない場合もある。
【００１８】
そして、上述した追従部材をカールコードの伸縮や曲折などの動きに追従して動くことができるようにする具体例としては、追従部材の両端を、それぞれカールコードにおける両直線部のそれぞれの自由端部に設けた接続用部材に接続したり、あるいは、両直線部やカール成型部の両基部に接続すればよく、この接続も追従部材を直接または接続に利用可能な部材を介して間接的に接続すればよい。
【００１９】
そして、カール成型部が少なくとも初期位置の縮んだ状態のときは、前記付勢力により追従部材も初期位置の安定した状態に近い状態に自己復帰できるよう構成しておくのが望ましい。
【００２０】
また、カール内空に設ける追従部材は、カールコードの仕様（例えば、カール成型部の自己復帰力の強さなど）を考慮して好適な仕様（例えば、太さや自己復帰力の強さなど）にすればよい。
【００２１】
また、追従部材の一部あるいは全部を、柔軟且つ弾性を有したカバー内に収納した状態でカール内空に設けてもよく、例えば、カール内空に位置する追従部材の部位をカバー内に収納するようにしてもよい。
【００２２】
そして、本発明のカールコードのカール成型部に生じるカールの変形や絡まりの低減構造における該カールコードの範囲は、電線は勿論のこと、携帯物品と携帯者を接続して携帯物品の落下防止などに用いられる安全ロープや落下防止用ロープの名称で販売されている作業用の用具、釣りや登山などのアウトドア・アク
ティビティ用の用具、インドアクライミングなどのインドア・アクティビティ用の用具、少なくともこれらを含むものである。
【発明の効果】
【００２３】
本発明のカールコードのカール成型部に生じるカールの変形や絡まりを低減できる構造によれば、カールコードのカール部分に変形が生じる兆候が生じた場合でも、カール状すなわち螺旋の形状に形成した部分を有するコードの少なくともカール成型部のカール内空に設けた追従部材に生じる自己復帰力が変形を抑制するので、カールコードのカール部分に生じる変形を大に低減することができる。
【００２４】
また、追従部材の抑制力を超えてカール部分に変形が生じた場合でも、追従部材に生じる自己復帰力が修復用のアシスト力になるので、容易にカールの変形を直すことができてカールコードを素早く元の正常なカール状態に戻すことができる。
【００２５】
そして、カールコードが捩れるなどして同コードのカール部分どうしが絡み合った場合でも、カール内空に設けている追従部材によってコードのカール内空への進入が抑止されるので、カール部位におけるコードの絡まりを大に低減することができる。
【図面の簡単な説明】
【００２６】
【図１】本発明に係るカールコードの初期位置の状態を示す図。
【図２】図１中に示す符合Ａの部位における拡大断面図。
【図３】引き延ばされたカールコードの状態を示す図。
【図４】本発明のカールコードを用いた図。
【図５】本発明のカールコードを用いた電話機を示した図。
【図６】追従部材の一例を示す斜視図。
【図７】従来のカールコードを用いた電話機を示す図。
【図８】従来のカールコードを用いた電話機を示す図。
【発明を実施するための形態】
【００２７】
以下、本発明に係るカールコードのカール成型部に生じるカールの変形や絡まりの低減構造を、添付図面に示す具体例に基づいて詳細に説明する。
また添付図面は、家電製品たる固定電話機に配しているカールコードを一例に説明する。
【００２８】
本発明の構造を用いてなるカールコードは、図１に示すように、カールコード本体たるコード１のカール成型部２におけるカール内空２ａ（図３を参照）を通過させて、追従部材たる例えばシリコーンゴムなどからなるフレキシブルロープ３を設けている。
また、図中の符合４は、コード１を所定の機器に接続するための接続用モジュラージャックである。
【００２９】
そして、フレキシブルロープ３がコード１に追従して動ける（図３を参照）ように、フレキシブルロープ３の両端を、それぞれ接続部材３ａを介してコード１のカール成型部２における両基部に接続（固定）している。
【００３０】
また、本実施例に示したフレキシブルロープ３は、図２に示すように、カール成型部２におけるカール内空２ａの空間径よりも小なる断面径のフレキシブルロープ３（細径）を一例にして説明しているが、カールコードの仕様（例えば、カール成型部の自己復帰力の強さや応用物品など）によっては、断面径を大にする太径のフレキシブルロープ（図示は省略）を用いる場合や、フレキシブルロープの外周面がカール内空２ａ側のコード１面に接触あるいは略接触できるもの（図示は省略）、さらには、図６に示すような板状のフレキシブルロープを用いる場合があり、同６図の（ａ）は、単一部材からなる断面略方形のフレキシブルロープ３ｂ、（ｂ）は、例えば断面略円形の単一部材を複数並べてなるフレキシブルロープ３ｃで、必要に応じて周囲をフレキシブル部材でカバーする場合がある。
【００３１】
以下、上述のように構成した本発明に係るカールコードのカール成型部に生じるカールの変形や絡まりの低減構造の作用を説明する。
【００３２】
図４に示すように、カールコード本体たるコード１が図中の矢印Ｂ方向に捩れて行くと、コード１とともにこのカール内空２ａに設けているフレキシブルロープ３も図中の矢印Ｂ方向に捩れる。
【００３３】
そして、フレキシブルロープ３が捩れることによってこのフレキシブルロープ３には元の状態に戻ろうとする復帰力が生じ、この復帰力すなわち図中の矢印Ｃ方向に生じる回転力によってコード１に進行する捩れを抑制し、コード１の変形を阻止するようにしている。
【００３４】
また、フレキシブルロープ３の抑制力を超えてコード１に図７中（ｂ）に示したようなカールの変形が生じてしまった場合でも、このフレキシブルロープ３に生じる自己復帰力（図４中の矢印Ｃ方向に生じる回転力）が修復用のアシスト力となり、容易にカールの変形を直すことができてコード１を素早く元の正常なカール状態に戻すことができる。
【００３５】
図５は、本カールコードを用いた電話機の一例を示しており、電話機本体５とハンドセット６との間に配しているカールコードすなわちコード１は、このカール内空２ａに設けているフレキシブルロープ３によってコード１に発生しようとしている変形が抑制されるので、この図５中（ａ）に示したように、コード１（カールコード）を変形のない状態で長期に亘り保つことができる。
【００３６】
また、図５中（ｂ）のように、カールコード（コード１）が交差している場合も、カール内空２ａのフレキシブルロープ３によって双方のカールが交差相手のカール間内すなわちカール内空２ａに深く進入するのが阻止されるので、たとえ双方のカールが絡んでしまっても、ハンドセット６を取り上げることによりこの絡みを解消できて、カールコード（コード１）に絡みが生じることなくハンドセット６を普通に使用することができる。
【００３７】
そして、特に、長年使用しているものではカール部分が伸びているので（図示は省略）、上述する図５中（ｂ）のように、カールコード（コード１）が交差している場合には双方のカールが交差相手のカール間内すなわちカール内空２ａに深く進入し易くなっているが、この場合も、カール内空２ａのフレキシブルロープ３によって双方のカールが交差相手のカール間内すなわちカール内空２ａに深く進入するのを阻止できる。
【符号の説明】
【００３８】
１  コード
２  カール成型部
２ａ  カール内空
３  フレキシブルロープ
３ａ  接続部材
３ｂ  フレキシブルロープ
３ｃ  フレキシブルロープ
４  接続用モジュラージャック
５  電話機本体
６  ハンドセット
７  電話機本体
８  ハンドセット
９  カールコード
１０  変形した部位
１１  絡まった部位
【図１】
2012198992.tif 000003
【図２】
2012198992.tif 000004
【図３】
2012198992.tif 000005
【図４】
2012198992.tif 000006
【図５】
2012198992.tif 000007
【図６】
2012198992.tif 000008
【図７】
2012198992.tif 000009
【図８】
2012198992.tif 000010